(57)【特許請求の範囲】
【請求項１】
ボビンホルダを片持ち状に支持できるようにボビンホルダ根元側の２箇所を支持具で回転自在に支持すると共に、ボビンホルダ先端側を係脱自在な支持具で回転自在に支持できるようにしたボビンホルダの支持構造において、前記根元側の一方の支持具による支持構造に芯ずれ吸収具を設けることにより、ボビンホルダの先端を支持した状態において実質的に前記ボビンホルダの二箇所を前記根元側の他方の支持具と前記先端側の支持具とでラジアル方向に拘束して支持するようにしたことを特徴とするボビンホルダの支持構造。
【請求項２】
前記根元側の他方の支持具による支持構造に振動吸収具を介在してある請求項１記載のボビンホルダの支持構造。
【請求項３】
前記先端側の支持具による支持構造に振動吸収具を介在してある請求項１又は２記載のボビンホルダの支持構造。
【発明の詳細な説明】
【０００１】
【発明の属する技術分野】
本発明は、ボビンを着脱自在に保持してボビン上に糸条を巻き上げる巻取機に備えられるボビンホルダを支持する構造に関するものである。
【０００２】
【従来の技術】
糸条の巻取機は、回転駆動させるボビンホルダに多数のボビンを保持して巻取能力の向上を図るようにするために、ボビンホルダを長尺化することがある。長尺のボビンホルダを支持する構造としては、片持ち状に支持してボビンの着脱ができるように、ボビンホルダ根元側の２箇所を支持具で回転自在に支持すると共に、巻き上げ中に生じる振動を抑制するために、ボビンホルダ先端側を係脱自在な支持具で回転自在に支持できるようにしたものがある。ところで、１本のボビンホルダをラジアル方向に実質的に拘束した３組の支持具（ボビンホルダ先端側及び根元側の２箇所）で３点支持することは、芯違いによる支持具の寿命が著しく低下するため、回避せねばならない。そのため、特許第２７７９６０９号公報に記載の支持構造では、ボビンホルダ先端側と先端側の支持具とをゴム等の弾性部材からなる変形容易な弾性リングで連結し、１本のボビンホルダを根元側の２組の支持具で実質的に２点支持してある。
【０００３】
【発明が解決しようとする課題】
ところが、前記支持構造では、ボビンホルダ先端側と先端側の支持具とが変形が容易な弾性リングで連結されているため、ボビンホルダ先端側の振れが大きいという問題が有り、ボビンホルダの固有振動数を大きく変化させることができず、共振の無い状態でボビンホルダを回転させることができる使用範囲が狭いという問題が有る。
【０００４】
そこで、本発明は、ボビンホルダ先端側の振れを抑制し、ボビンホルダの固有振動数を大きく変化させて使用回転範囲の広いボビンホルダの支持構造の提供を目的とする。
【０００５】
【課題を解決するための手段】
低速回転から高速回転までボビンホルダの固有振動数を大きく変化させて共振を抑制できるようにするために請求項１記載の本発明が採用した手段は、ボビンホルダを片持ち状に支持できるようにボビンホルダ根元側の２箇所を支持具で回転自在に支持すると共に、ボビンホルダ先端側を係脱自在な支持具で回転自在に支持できるようにしたボビンホルダの支持構造において、前記根元側の一方の支持具による支持構造に芯ずれ吸収具を設けることにより、つまり、一方の支持具による支持構造を他の支持具による支持構造よりもラジアル方向への拘束力を弱く構成することにより、ボビンホルダの先端を支持した状態において実質的に前記ボビンホルダの二箇所を前記根元側の他方の支持具と前記先端側の支持具とでラジアル方向に拘束して支持するようにしたことを特徴とするボビンホルダの支持構造である。該芯ずれ吸収具は、根元側の一方の支持具から伝達する支持反力を受けるターレット部（ボビンホルダ根元側支持部材）と該一方の支持具との間に介在させるか、ボビンホルダと該一方の支持具との間に介在させるか、またはこれら三者の間の夫々に介在させる。
本発明にあっては、ボビン交換時にはボビンホルダを先端側の支持具で支持しなくても根元側の２箇所の支持具で片持ち状に支持できると共に、糸条巻取中にはボビンホルダの先端側を支持具で回転自在に支持することにより、ボビンホルダの二箇所を根元側の他方の支持具と先端側の支持具とで両持ち状態で支持してボビンホルダの共振を抑制できる。
【０００６】
ボビンホルダからの加振力を吸収して振動を更に抑制するために請求項２記載の本発明が採用した手段は、前記根元側の他方の支持具による支持構造に振動吸収具を介在してある請求項１記載のボビンホルダの支持構造である。該振動吸収具は、根元側の他方の支持具から伝達する支持反力を受けるターレット部と該他方の支持具との間に介在させるか、ボビンホルダと該他方の支持具との間に介在させるか、またはこれら三者の間の夫々に介在させる。
本発明にあっては、回転中のボビンホルダから生じる加振力が振動吸収具で吸収されるので、振動を抑制した状態で巻き取りができる。
【０００７】
ボビンホルダからの加振力を吸収して振動を更に抑制するために請求項３記載の本発明が採用した手段は、前記先端側の支持具による支持構造に振動吸収具を介在してある請求項１又は２記載のボビンホルダの支持構造である。該振動吸収具は、先端側の支持具を保持する保持部材と該先端側の支持具の間に介在させるか、ボビンホルダと該先端側の支持具との間に介在させるか、またはこれら三者の間の夫々に介在させる。
本発明にあっては、回転中のボビンホルダから生じる加振力が振動吸収具で吸収されるので、振動を抑制した状態で巻き取りができる。
【０００８】
【発明の実施の形態】
以下、本発明に係るボビンホルダの支持構造（以下、「本発明支持構造」という）を図面に示す実施の形態に基づいて説明する。
【０００９】
（第１の実施の形態）
図１乃至図３は本発明支持構造の第１の実施の形態を示すものであり、図１は本発明支持構造を備えた糸条巻取機の全体を示す側面図、図２（Ａ）は本発明支持構造の根元側を示す側面断面図、同図（Ｂ）は同図（Ａ）の一点鎖線Ｂで囲まれた部分の拡大図、図３は本発明支持構造の先端側を示す平面断面図である。
【００１０】
糸条巻取機（紡糸巻取機）１は、図１に示す如く、本体フレーム２に対して水平軸３の回りで１８０°ずつ旋回するターレット部４と、ターレット部４から片持ち状に突設した２本のボビンホルダ５，５と、各ボビンホルダ５を回転駆動する誘導モータ６と、本体フレーム２に対して垂直に昇降自在になっている昇降枠７と、昇降枠７に設けたタッチローラ８及びトラバース装置９とから主に構成されている。昇降枠７は、その基端側に設けた接圧シリンダ１０によって荷重が支えられ、昇降部材全重量と接圧シリンダ１０による持上げ力との差がタッチローラ８の各パッケージＰに対する接圧力となるようになっている。ボビンホルダ５は、ターレット部４の旋回に伴い、上方の巻取位置ａと下方の待機位置ｂとに交互に位置するようになり、下方の待機位置ｂで複数個のパッケージＰと空ボビンＤとの交換が行われ、上方の巻取位置ａで各ボビンＤに対する糸条（合成繊維フィラメント糸条）の巻き取りが行われる。
【００１１】
上記各ボビンホルダ５を支持するための本発明支持構造は、図２及び図３に示す如く、ターレット部４にボビンホルダ５の根元側の２箇所を支持具１１，１２で回転自在に支持すると共に、ボビンホルダ５の先端側を係脱自在な支持具１３で回転自在に支持できるようにしたものであって、根元側の一方の支持具１２による支持構造を弾性変形容易な芯ずれ吸収具１４，１４を介してラジアル方向への拘束力が弱くなるように構成し、根元側の他方の支持具１１による支持構造及びボビンホルダ先端側の支持具１３による支持構造にラジアル方向の拘束力を持たせるように構成してある。本発明支持構造は、上方の巻取位置ａに位置する巻取状態のボビンホルダ５の両側を根元側の支持具１１と先端側の支持具１３とで実質的に二点支持して、この両側の支持箇所が偏心しない状態となるようにでき、更に下方の待機位置ｂに位置するボビンホルダ５の片側を根元側の支持具１１，１２で二点支持して前垂れしないように片持ち状に支持できる。
【００１２】
上記ボビンホルダ５の根元側を支持する一方の支持具１１は、図２に示す如く、１個又は複数個のボールベアリングからなり、ターレット部４に外レースを不動状態に内嵌すると共に、ボビンホルダ５の中心軸部５ａに内レースを外嵌してあり、ボビンホルダ５から受けた反力をターレット部４へ直接伝達するようにしてある。他方の支持具１２は、ボールベアリングからなり、ターレット部４に中間の保持ケース１５及び芯ずれ吸収具１４，１４を介して外レースを内嵌すると共に、ボビンホルダ５の中心軸部５ａに内レースを外嵌してある。該保持ケース１５は、外周面１５ａに環状凹溝１５ｂ，１５ｂを設けると共に環状凹溝１５ｂ，１５ｂに柔軟なゴム製のＯリングや帯リング等からなる弾性変形容易な芯ずれ吸収具１４，１４を嵌着し、ターレット部４に芯ずれ吸収具１４，１４を弾性変形可能に当接してある。該保持ケース１５は、ターレット部４に嵌着した止め輪１６との間に、柔軟なゴム等からなる弾性変形容易な環状平リング１７を介在させてあり、芯ずれ吸収具１４，１４及び環状平リング１７を弾性変形させることにより、ボビンホルダ５の中心軸部５ａと共に半径方向及び軸方向へ微量寸法（例えば、半径方向へ０．３ｍｍ乃至０．６ｍｍ程度）変位できるようにしてある。
【００１３】
上記弾性変形容易な芯ずれ吸収具１４は、保持ケース１５とターレット部４との間に介在させる以外に、図示は省略したが、他方の支持具１２とボビンホルダ５の中心軸部５ａとの間に余分に介在させることも、更に保持部材１５を省略して、ターレット部４に外レースを直接内嵌した支持具１２の内レースとボビンホルダ５の中心軸部５ａとの間に介在させることも可能である。
【００１４】
前記誘導モータ６は、ターレット部４にビス止め２６されていると共に、その出力軸とボビンホルダ５の軸端とをゴム等の弾性部材を連結部材としたカップリング１９で連結してあり、モータ出力軸とボビンホルダ５の軸との芯ずれを吸収できるようになっている。
【００１５】
前記ボビンホルダ５は、中心軸部５ａとボビンＤを保持するための外筒部５ｂとからなり、図３に示す如く、中心軸部５ａの先端側に、ボールベアリング等からなる軸受２１を介して環状の被支持部材２０を回転自在に設けてある。該被支持部材２０を支持するための先端側の支持具１３は、本体フレーム２（図１参照）に進退自在に設けた保持部材２２の先端側に配設され、進退操作具（図示略）の操作により支持位置ｃと待機位置ｄとの間で進退するようにしてある。先端側の支持具１３による支持構造は、保持部材２２に支持具１３を内嵌すると共に、保持部材２２と支持具１３の間に振動吸収具２３，２３を介在させることにより、回転駆動するボビンホルダ５で生じる細かな振動を振動吸収具２３，２３で吸収するようにしてある。
【００１６】
該振動吸収具２３は、ゴム製のＯリングや環状リング等からなり、前記芯ずれ吸収具１４（図２参照）に比べて弾性係数が大きくなるように装着されており、変形し難くなっている。例えば、振動吸収具２３を芯ずれ吸収具１４と同質のゴム製Ｏリングで形成するときには、圧縮した硬い状態で装着し、装着状態における弾性係数が大きくなるようにしてある。つまり、振動吸収具２３は、芯ずれを吸収するための芯ずれ吸収具１４と異なり、振動吸収のためのものであるので、芯ずれ吸収具１４に比べ、ボビンホルダに対するラジアル方向への拘束力は大となるようになされている。先端側の支持具１３及び被支持部材２０は、当接面どうしを截頭円錐状に形成してあり、当接したときに両者が容易に同芯状態となるようにしてある。
【００１７】
上記振動吸収具２３は、保持部材２２と支持具１３の間に介在させる以外に、図示は省略したが、ボビンホルダ５の被支持部材２０と該先端側の支持具１３との間にのみ介在させるか、またはこれら三者の間の夫々に介在させることもできる。
【００１８】
本発明支持構造は、図２に示す如く、根元側の他方の支持具１１による支持構造中に振動吸収具２３，２３と同様の振動吸収具２４，２４を必要に応じて介在させ、回転駆動するボビンホルダ５で生じる細かな振動を更に吸収するようにしてある。振動吸収具２４，２４は、ターレット部４と該支持具１１との間に介在させるか、ボビンホルダ５と該支持具１１との間に介在させるか、またはこれら三者の間の夫々に介在させる。振動吸収具２４，２４も振動吸収具２３，２３と同様にボビンホルダに対するラジアル方向への拘束力が大となるようになされている。
【００１９】
本発明支持構造は、下方の待機位置ｂ（図１参照）に位置するボビンホルダ５を根元側の支持具１１，１２で片持ち状に支持したときには、パッケージＰと空ボビンＤとの交換ができる。また、上方の巻取位置ａに位置するボビンホルダ５を先端側を支持具１３で回転自在に支持したときには、根元側の一方の支持具１２による支持構造が偏心自在となっているため、回転駆動中のボビンホルダ５の二箇所を根元側の他方の支持具１１と先端側の支持具１３とによる両持ち状態で実質的に支持することになり、低速回転から高速回転に至る広範囲でボビンホルダ５の固有振動数を大きく変化させて共振を抑制した状態で糸条の巻き取りができ、高品質のパッケージを得ることが可能となる。しかも、ボビンホルダ５の先端側がラジアル方向に拘束された状態で支持されているため、ボビンホルダ５の先端側の振れを小さく抑えることができる。更に、本発明支持構造は、ボビンホルダ５に若干残されたアンバランスや先端振れ等により回転駆動中のボビンホルダ５で生じる加振力が振動吸収具２３，２３，２４，２４で吸収されるので、更に振動を抑制した状態で糸条の巻き取りができる。
【００２０】
（第２の実施の形態）
図４は本発明支持構造の第２の実施の形態における根元側を示す側面断面図である。
本実施の形態が前記第１の実施の形態と相違する点は、根元側の一方の支持具１２を保持する保持ケース２５に誘導モータ６を連結したことである。この相違点以外の構成は、第１の実施の形態と実質的に同一であり、同一符号は同一構成部材等を示す。本実施の形態においても、上方の巻取位置ａに位置するボビンホルダ５は、図３に示す如く、その先端側が支持具１３で回転自在に支持される。
【００２１】
【発明の効果】
請求項１記載の本発明支持構造は、ボビンホルダの根元側の２箇所に支持具を設けているため、巻取位置のボビンホルダと待機位置のボビンホルダとの位置を交換する時や待機位置のボビンホルダに対しボビンを着脱する時に、片持ち状態となるボビンホルダが根元側の２箇所で支持されることとなり、片持ち状態のボビンホルダが大きく前垂れすることがない。またボビンホルダを根元側の支持具の他方と先端側の支持具とによる両持ち状態で実質的に支持することにより、ボビンホルダの先端側の振れを小さく抑えることができるとともに、低速回転から高速回転に至る広範囲でボビンホルダの固有振動数を大きく変化させて振動を抑制した状態で巻き取りができるので、高品質のパッケージを得ることが可能となる。
請求項２及び３記載の本発明支持構造は、回転中のボビンホルダで生じる加振力を振動吸収具で吸収して、振動を更に抑制した状態で巻き取りができるので、高品質のパッケージを得ることが可能となる。
【図面の簡単な説明】
【図１】本発明支持構造の第１の実施の形態を備えた糸条巻取機の全体を示す側面図である。
【図２】（Ａ）は同実施の形態における根元側を示す側面断面図、（Ｂ）は（Ａ）の一点鎖線Ａで囲まれた部分の拡大図である。
【図３】同実施の形態における先端側を示す平面断面図である。
【図４】本発明支持構造の第２の実施の形態における根元側を示す側面断面図である。
【符号の説明】
５…ボビンホルダ，１１…他方の支持具、１２…一方の支持具、１３…先端側の支持具、１４…芯ずれ吸収具、２３，２４…振動吸収具
【図１】
0003682570.tif 000002
【図２】
0003682570.tif 000003
【図３】
0003682570.tif 000004
【図４】
0003682570.tif 000005